(57)【要約】【課題】  機体フレーム上におけるエンジンとミッション部の前後幅を可及的に短幅化して、同機体フレーム上においてミッション部の前方に配置する薬液タンク部の容積が、同ミッション部により規制されることがないようにすること。【解決手段】  前後方向に伸延する左右一対の機体フレーム形成片上にエンジンを搭載すると共に、同エンジンを左右いずれか一側方に偏倚させて配置し、同エンジンの直下方位置に上下方向に伸延するミッション部の下部を配置すると共に、同エンジンの偏倚させた側とは反対側の側方空間内にミッション部の上部を配置して、同ミッション部の上部をエンジンに連動連結した。【選択図】      図６
2005112074.tif 000002
【特許請求の範囲】
【請求項１】
前後方向に伸延する左右一対の機体フレーム形成片(25,25)上にエンジン(27)を搭載すると共に、同エンジン(27)を左右いずれか一側方に偏倚させて配置し、同エンジン(27)の直下方位置に上下方向に伸延するミッション部(5)の下部を配置すると共に、同エンジン(27)の偏倚させた側とは反対側の側方空間(S)内にミッション部(5)の上部を配置して、同ミッション部(5)の上部をエンジン(27)に連動連結したことを特徴とする移動農機。
【請求項２】
ミッション部(5)の上部をクラッチ部(37)を介してエンジン(27)に連動連結すると共に、同クラッチ部(37)は、エンジン(27)の側方空間(S)内に配置して、一部をエンジン(27)と上下方向に重合状態となしたことを特徴とする請求項１記載の移動農機。
【請求項３】
エンジン(27)の側方空間(S)は、クラッチ部(37)の配設空間と各種伝動機構(38)の配設空間を兼用することを特徴とする請求項１又は２記載の移動農機。
【請求項４】
左右一対の機体フレーム形成片(25,25)間にエンジンマウントステー(26)を横架すると共に、同エンジンマウントステー(26)は、一側半部と他側半部との間に高低段差を形成して、同エンジンマウントステー(26)に略沿わせてミッション部(5)を配設し、同エンジンマウントステー(26)の低部側にエンジン(27)を搭載する一方、高部側にミッション部(5)の上部に連動連設したクラッチ部(37)を配置したことを特徴とする請求項１〜３のいずれか１項に記載の移動農機。
【請求項５】
ミッション部(5)のミッションケース(44)を前部ケース形成体(45)と後部ケース形成体(46)とに分割して形成し、同後部ケース形成体(46)に、クラッチ部(37)のクラッチケース本体(47)とデファレンシャル部(42)のデファレンシャルケース(48)を一体成形したことを特徴とする請求項１〜４のいずれか１項に記載の移動農機。
【請求項６】
クラッチケース本体(47)とデファレンシャルケース(48)は、平行状態にて左右方向に間隔を開けて配置したことを特徴とする請求項５記載の移動農機。
【請求項７】
クラッチケース本体(47)の後端面(47a)とデファレンシャルケース(48)の後端面(48a)は略面一となして、クラッチケース本体(47)の後端面(47a)に蓋体(50)を連結する一方、デファレンシャルケース(48)の後端面(48a)にリヤアクスル部(10)のリヤアクスルケース(52)を連結したことを特徴とする請求項５又は６記載の移動農機。
【発明の詳細な説明】
【技術分野】
【０００１】
本発明は、果樹園に薬剤を散布する自走型スピードスプレーヤ等の移動農機に関する。
【背景技術】
【０００２】
従来、移動農機の一形態として、機体フレームの前部に運転部を配設し、同運転部の後方位置に薬液タンク部を配設し、同薬液タンク部の後方位置にミッション部とエンジンとを配設し、同エンジンの後方位置に薬液散布部を配設したスピードスプレーヤがある（例えば、特許文献１参照）。
【０００３】
ここで、ミッション部とエンジンは、前後方向に隣接させて配置すると共に連動連結している。
【特許文献１】特開２００１−２３９１９５号公報
【発明の開示】
【発明が解決しようとする課題】
【０００４】
ところが、上記したスピードスプレーヤでは、ミッション部とエンジンを前後方向に隣接させて配置しているために、同ミッション部がその前方に配置した薬液タンク部の容積を規制し、同薬液タンク部の容積を大きく確保できないという不具合がある。
【課題を解決するための手段】
【０００５】
そこで、本発明では、前後方向に伸延する左右一対の機体フレーム形成片上にエンジンを搭載すると共に、同エンジンを左右いずれか一側方に偏倚させて配置し、同エンジンの直下方位置に上下方向に伸延するミッション部の下部を配置すると共に、同エンジンの偏倚させた側とは反対側の側方空間内にミッション部の上部を配置して、同ミッション部の上部をエンジンに連動連結したことを特徴とする移動農機を提供するものである。
【０００６】
また、本発明は、以下の構成にも特徴を有する。
【０００７】
（１）ミッション部の上部をクラッチ部を介してエンジンに連動連結すると共に、同クラッチ部は、エンジンの側方空間内に配置して、一部をエンジンと上下方向に重合状態となしたこと。
【０００８】
（２）エンジンの側方空間は、クラッチ部の配設空間と各種伝動機構の配設空間を兼用すること。
【０００９】
（３）左右一対の機体フレーム形成片間にエンジンマウントステーを横架すると共に、同エンジンマウントステーは、一側半部と他側半部との間に高低段差を形成して、同エンジンマウントステーに略沿わせてミッション部を配設し、同エンジンマウントステーの低部側にエンジンを搭載する一方、高部側にミッション部の上部に連動連設したクラッチ部を配置したこと。
【００１０】
（４）ミッション部のミッションケースを前部ケース形成体と後部ケース形成体とに分割して形成し、同後部ケース形成体に、クラッチ部のクラッチケース本体とデファレンシャル部のデファレンシャルケースを一体成形したこと。
【００１１】
（５）クラッチケース本体とデファレンシャルケースは、平行状態にて左右方向に間隔を開けて配置したこと。
【００１２】
（６）クラッチケース本体の後端面とデファレンシャルケースの後端面は略面一となして、クラッチケース本体の後端面に蓋体を連結する一方、デファレンシャルケースの後端面にリヤアクスル部のリヤアクスルケースを連結したこと。
【発明の効果】
【００１３】
（１）請求項１記載の本発明では、前後方向に伸延する左右一対の機体フレーム形成片上にエンジンを搭載すると共に、同エンジンを左右いずれか一側方に偏倚させて配置し、同エンジンの直下方位置に上下方向に伸延するミッション部の下部を配置すると共に、同エンジンの偏倚させた側とは反対側の側方空間内にミッション部の上部を配置して、同ミッション部の上部をエンジンに連動連結している。
【００１４】
このようにして、エンジンの直下方位置にミッション部の下部を配置すると共に、同エンジンの側方空間内にミッション部の上部を配置しているため、機体フレーム上におけるエンジンとミッション部の前後幅を可及的に短幅化することができて、同機体フレーム上においてミッション部の前方に配置する薬液タンク部の容積が、同ミッション部により規制されることがないようにすることができる。
【００１５】
その結果、薬液タンク部の容積を可及的に大きく確保することができて、薬液散布作業を長時間にわたって効率良く行うことができる。
【００１６】
しかも、ミッション部は、最低地上高を確保した上で、機体フレーム上への突出量を可及的に小さくすることができるため、機体フレーム上の薬液タンク部の容積に悪影響を与えないようにすることができると共に、機体の上端までの地上高（車高）を可及的に低く設定することができて、果樹園での防除作業に好適な農作業機となすことができる。
【００１７】
さらには、前後方向に伸延する左右一対の機体フレーム形成片上に搭載したエンジンを左右いずれか一側方に偏倚させて配置し、同エンジンの直下方位置に上下方向に伸延するミッション部の下部を配置すると共に、同エンジンの偏倚させた側とは反対側の側方空間内にミッション部の上部を配置しているため、同ミッション部の左右側方に配置される左右一対の機体フレーム形成片の間隔を可及的に小さくすることができて、機体のコンパクト化を図ることができる。
【００１８】
（２）請求項２記載の本発明では、ミッション部の上部をクラッチ部を介してエンジンに連動連結すると共に、同クラッチ部は、エンジンの側方空間内に配置して、一部をエンジンと上下方向に重合状態となしている。
【００１９】
このようにして、エンジンの側方空間内に配置したクラッチ部の一部を、エンジンと上下方向に重合状態となしているため、同クラッチ部を機体の左右中心線寄りに配置することができて、機体の左右幅をコンパクト化することができる。
【００２０】
その結果、狭隘地での走行移動や農作業もスムーズに行えると共に、格納庫のスペースを削減することができる。
【００２１】
（３）請求項３記載の本発明では、エンジンの側方空間は、クラッチ部の配設空間と各種伝動機構の配設空間を兼用している。
【００２２】
このようにして、エンジンの側方空間をクラッチ部と各種伝動機構の配設空間として有効利用しているため、この点からも機体の左右幅をコンパクト化することができる。
【００２３】
（４）請求項４記載の本発明では、左右一対の機体フレーム形成片間にエンジンマウントステーを横架すると共に、同エンジンマウントステーは、一側半部と他側半部との間に高低段差を形成して、同エンジンマウントステーに略沿わせてミッション部を配設し、同エンジンマウントステーの低部側にエンジンを搭載する一方、高部側にミッション部の上部に連動連設したクラッチ部を配置している。
【００２４】
このようにして、左右一対の機体フレーム形成片間に、一側半部と他側半部との間に高低段差を形成したエンジンマウントステーを横架して、同エンジンマウントステーの低部側にエンジンを搭載する一方、後部側にミッション部の上部に連動連設したクラッチ部を配置しているため、エンジンとミッション部とクラッチ部とをコンパクトに配置することができる。
【００２５】
（５）請求項５記載の本発明では、ミッション部のミッションケースを前部ケース形成体と後部ケース形成体とに分割して形成し、同後部ケース形成体に、クラッチ部のクラッチケース本体とデファレンシャル部のデファレンシャルケースを一体成形している。
【００２６】
このようにして、ミッションケースの後部ケース形成体にクラッチケース本体とデファレンシャルケースを一体成形しているため、ミッション部とクラッチ部とデファレンシャル部をコンパクトに配設することができると共に、これらの組み付け作業を楽に行うことができる。
【００２７】
（６）請求項６記載の本発明では、クラッチケース本体とデファレンシャルケースは、平行状態にて左右方向に間隔を開けて配置している。
【００２８】
このようにして、クラッチケース本体とデファレンシャルケースを平行状態にて左右方向に間隔を開けて配置しているため、両者の間に放熱用空間を形成することができる。
【００２９】
従って、クラッチ部で発生する熱を放熱用空間を通して放熱させることができるため、クラッチ部の摩擦係数が上昇するのを防止することができると共に、クラッチの耐久性を良好に確保することができる。
【００３０】
また、デファレンシャル部で発生する熱も放熱用空間を通して放熱させることができるため、同デファレンシャル部のシール性能を良好に確保することができると共に、オイルシール部の劣化やオイルの劣化を防止することができる。
【００３１】
（７）請求項７記載の本発明では、クラッチケース本体の後端面とデファレンシャルケースの後端面は略面一となして、クラッチケース本体の後端面に蓋体を連結する一方、デファレンシャルケースの後端面にリヤアクスル部のリヤアクスルケースを連結している。
【００３２】
このようにして、ミッションケースの後部ケース形成体に一体成形したクラッチケース本体とデファレンシャルケースの各後端面を、略面一となしているため、両後端面を一度にフライス加工することができて、精度良くかつ効率良く加工することができる。
【００３３】
しかも、クラッチケース本体の後端面には蓋体を連結することにより、簡単にクラッチケース本体を閉蓋することができる一方、デファレンシャルケースの後端面にはリヤアクスル部のリヤアクスルケースを連結することにより、簡単にデファレンシャルケースを閉蓋することができると共に、デファレンシャル部にリヤアクスル部を連設することができる。
【００３４】
従って、クラッチ部とデファレンシャル部とリヤアクスル部の組み付け作業を楽に行うことができる。
【発明を実施するための最良の形態】
【００３５】
以下に、本発明に係る最良の実施の形態を、図面を参照しながら説明する。
【００３６】
図1〜図４に示すＡは、本発明に係る移動農機としてのスピードスプレーヤであり、同スピードスプレーヤＡは、機体フレーム１上において、前部に運転部２を配設し、同運転部２の左側方位置から後方位置にかけて薬液タンク部３を配設し、同薬液タンク部３の後方位置に原動機部４とミッション部５と両者を連動連結する伝動機構部６とを配設し、これらの後方位置に上記伝動機構部６と連動連結した薬液散布部７を配設している。Ｍはオペレータである。
【００３７】
そして、図1〜図４に示すように、機体フレーム１の前部にフロントアクスル部８を介して左右一対の前車輪9,9を取り付ける一方、前記ミッション部５の後部にリヤアクスル部10を介して左右一対の後車輪11,11を取り付け、上記ミッション部５にドライブシャフト12を介してフロントアクスル部８を連動連結して、前・後車輪9,9 ,11,11による四輪駆動が行えるようにしている。
【００３８】
〔機体フレーム１の説明〕
機体フレーム１について説明すると、同機体フレーム1は、図1〜図４に示すように、主として運転部２とフロントアクスル部８とを支持する前部機体フレーム形成体15と、主として原動機部４とミッション部５と伝動機構部６と薬液散布部７とを支持する後部機体フレーム形成体16とから形成しており、各前・後部機体フレーム形成体15,16は、前後方向に伸延する四角形枠状に形成している。
【００３９】
〔運転部２の説明〕
次に、運転部２について説明すると、同運転部２は、図１及び図２に示すように、前部機体フレーム形成体15の前部に立設したステアリングポスト17にホイール支軸18を介してステアリングホイール19を取り付け、同ステアリングホイール19の後方位置に運転席支持枠体20を介して運転席21を配置している。
【００４０】
〔薬液タンク部３の説明〕
次に、薬液タンク部３について説明すると、同薬液タンク部３は、図１及び図２に示すように、運転部２の左側方から後方にわたって平面視略Ｌ字状に形成したタンク本体22を具備しており、同タンク本体22の天井部に薬液供給用開閉蓋体23を開閉自在に取り付けている。
【００４１】
〔原動機部４の説明〕
次に、原動機部４について説明すると、同原動機部４は、図1〜６に示すように、前後方向に伸延して前記後部機体フレーム形成体16の一部を形成する左右一対の機体フレーム形成片25,25間にエンジンマウントステー26を介してエンジン27を搭載し、同エンジン27の左側方位置にラジエータ支持枠体28を介してラジエータ29を配設すると共に、同エンジン27の右側後方位置にラジエータ支持枠体28を介してエアクリーナ30を配設している。
【００４２】
また、エンジン27の上部右側方位置には、図６に示すように、薬液ポンプ31を配設しており、同薬液ポンプ31に薬液タンク部３を介して薬液散布部７を連通連結して、薬液タンク部３のタンク本体22内に貯留している薬液を薬液散布部７に圧送して、同薬液散布部７により薬液を周囲に散布することができるようにしている。
【００４３】
ここで、上記したエンジンマウントステー26は、図５及び図６に示すように、左右一対の機体フレーム形成片25,25間に横架しており、左右側立ち上がり壁片32,33と両立ち上がり壁片32,33の上端間に横架した支持本片34とを具備している。
【００４４】
しかも、支持本片34は、一側半部（本実施形態では左側半部34a）と他側半部（本実施形態では右側半部34b）との間に高低段差を形成して、低部側である左側半部34a上にエンジンマウント35,36を介してエンジン27を搭載している。
【００４５】
このようにして、エンジン27は、機体の左右中心線よりも左右いずれか一側方（本実施形態では左側方）に偏倚させて配置している。
【００４６】
そして、図５及び図６に示すように、エンジン27より後方へ突出させた駆動軸39（図１９参照）と後述するクラッチ部37との間に伝動機構部６を介設しており、左側の機体フレーム形成片25に左側マウント40を介して伝動機構部６の左側下部を支持させると共に、右側機体フレーム形成片25に右側マウント41を介して伝動機構部６の右側下部を支持させている。
【００４７】
また、図２１及び図２２に示すように、機体フレーム形成片25,25の後部にそれぞれ支持台115,116を設け、両支持台115,116間に前記したラジエータ支持枠体28を跨架しており、同ラジエータ支持枠体28は、左側の支持台115上に立設したラジエータ支持枠本体117と、同ラジエータ支持枠本体117の後上部と右側の支持台116との間に架設した補強枠体118とから形成している。
【００４８】
そして、ラジエータ支持枠本体117は側面視門型に形成して、同ラジエータ支持枠体117にラジエータ29を取り付けている。
【００４９】
補強枠体118は、エンジン27の上部後方位置において、左右方向に伸延して、左側端部をラジエータ支持枠本体117の後上部に連結した左右伸延片119と、同左右伸延片119の右側端部より右側下方へ向けて伸延する下り傾斜片120と、同下り傾斜片120の右側端部より下方へ向けて伸延して、右側の支持台116に下端部を固定した下方伸延片121とから形成して、ラジエータ支持枠体117と補強体118とからなるラジエータ支持枠体28を、背面視略門型に形成している。
【００５０】
そして、傾斜片部としての下り傾斜片120に沿わせてエアクリーナ30を取り付け、同下り傾斜片120の近傍にエアクリーナ30の吸気部30aを配置している。
【００５１】
このようにして、ラジエータ支持枠体117の一側部（本実施例では右側部）に形成した下り傾斜片120に沿わせてエアクリーナ30を配置しているため、同エアクリーナ30をラジエータ支持枠体28の下り傾斜片120に簡単かつ確実に取り付けることができると共に、コンパクトに配置することができる。
【００５２】
しかも、エンジン27にエアクリーナ30を直接固定していないため、同エンジン27のメンテナンス等を行う際に、エアクリーナ30が支障となることがない。
【００５３】
さらには、下り傾斜片120の近傍にエアクリーナ30の吸気部30aを配置しているため、同吸気部30aを通してエアクリーナ30に外気を確実に取り込むことができる。
【００５４】
また、ラジエータ支持枠体28の一部を形成する補強枠体118は、導風体ステーを兼用しており、同補強枠体118の左右伸延片119と下方伸延片121とに、後述する薬液散布部７の一部を形成する導風体122を取付ボルト123,124,125により着脱自在に取り付けている。
【００５５】
このようにして、補強枠体118に導風体ステーを兼用させているため、別途導風体ステーを設けることなく導風体122を確実に支持することができて、部品点数の削減と製造コストの低減とを図ることができる。
【００５６】
図４中、126,127は、上下方向に開閉自在となしたカバー体としてのボンネット形成体であり、コンパクトに配置したエアクリーナ30の上方を被覆すべく円弧状に形成して、枝下作業時に枝が引っ掛かるのを極力防止することができるようにしている。
【００５７】
〔ミッション部５の説明〕
次に、ミッション部５について説明すると、同ミッション部５は、図５〜図１２に示すように、上下方向に伸延させて形成しており、前記支持本片34の前端部に沿わせて上下方向に伸延するミッション部５を左低右高の傾斜状に配設して、エンジン27の直下方位置、すなわち、支持本片34の低部側である左側半部34aの直下方位置にミッション部５の左側下部を配置すると共に、支持本片34の高部側である右側半部34bの直下方位置にミッション部５の右側上部を配置している。
【００５８】
そして、図８及び図９に示すように、エンジン27の偏倚させた側とは反対側（本実施形態では右側）の側方空間Ｓ内にクラッチ部37を配設すると共に、同クラッチ部37をミッション部５の右側上部に連動連設し、同クラッチ部37を後述する伝動機構部６を介してエンジン27に連動連結しており、クラッチ部37は、エンジン27の側方空間Ｓ内において、一部をエンジン27と上下方向に重合状態となしている。
【００５９】
しかも、エンジン27の側方空間Ｓは、クラッチ部37の配設空間と各種伝動機構の配設空間、すなわち、後述する伝動機構部６と前記薬液ポンプ31との間に介設するポンプ伝動機構38の配設空間を兼用している。
【００６０】
また、ミッション部５は、図１０〜図１４に示すように、左側下部の後方にデファレンシャル部42を連動連設すると共に、同デファレンシャル部42の後方にリヤアクスル部10を連動連設している。
【００６１】
そして、ミッション部５は、上下方向に伸延させて形成したミッションケース44を前部ケース形成体45と後部ケース形成体46とに分割して形成し、同後部ケース形成体46の右側上部に、クラッチ部37のクラッチケース本体47を後方へ突出状に一体成形する一方、後部ケース形成体46の左側下部にデファレンシャル部42のデファレンシャルケース48を後方へ突出状に一体成形して、前部ケース形成体45に、後部ケース形成体46とクラッチケース本体47とデファレンシャルケース48とを、前後方向に軸線を向けた連結ボルト53により着脱自在に連結している。
【００６２】
しかも、クラッチケース本体47とデファレンシャルケース48は、図１２及び図１３に示すように、左右平行状態にて左右方向に間隔を開けて配置している。
【００６３】
さらには、図１３に示すように、クラッチケース本体47の後端面47aとデファレンシャルケース48の後端面48aは略面一（仮想面一面113）となして、クラッチケース本体47の後端面47aに蓋体連結ボルト49を介して蓋体50を着脱自在に連結する一方、デファレンシャルケース48の後端面48aにケース連結ボルト51を介してリヤアクスル部10のリヤアクスルケース52を着脱自在に連結している。
【００６４】
ここで、デファレンシャル部42とリヤアクスル部10の下端部は、図４に示すように、それぞれ地上高H1,H2を略同一となし、かつ、ミッション部５の左側下端部の地上高H3と略同一位置に配置している。
【００６５】
また、ミッションケース44内には、図１３に示すように、薬液撹拌駆動用動力取出軸56と、第１変速軸57と、第２変速軸58と、前後車輪駆動軸59を横架しており、これらの軸56,57,58,59は、いずれも軸線を前後方向に向けて平行状態に架設している。
【００６６】
そして、図２０にも示すように、薬液撹拌駆動用動力取出軸56には、入力ギヤ60を連動連結すると共に、第１スライド体61と第２スライド体62とをそれぞれスライド自在に取り付けて、第１スライド体61に第１・第２出力側変速ギヤ61a,61bを設けると共に、第２スライド体62に第３出力側変速ギヤ6 2aを設けている。
【００６７】
しかも、クラッチ部37に設けたクラッチ軸63に出力ギヤ64を連動連結し、同出力ギヤ64を上記入力ギヤ60に噛合させている。
【００６８】
ここで、クラッチ部37は、クラッチケース本体47に支持されたクラッチ軸63と、蓋体50に支持された入力軸54との間に、多板クラッチ55を介設して構成している。112はクラッチ操作機構である。
【００６９】
また、第１変速軸57には、出力ギヤ65と第１・第２・第３・第４入力側変速ギヤ66,67,68,69を連動連結して、これら第１・第２・第３・第４入力側変速ギヤ66,67,68,69のいずれかに上記第１・第２・第３出力側変速ギヤ61a,61b,62aを選択的に噛合させて変速するようにしている。
【００７０】
第２変速軸58には、上記第１変速軸57に連動連結した出力ギヤ65と噛合する入力兼出力ギヤ70と、第１出力ギヤ71と、第２出力ギヤ72とを設けている。
【００７１】
前後車輪駆動軸59には、回転自在に遊嵌した遊嵌体73と、スライド自在にスプライン嵌合したスライド体74と、転動自在に嵌合した転動体75とを設けており、遊嵌体73の外周面には上記入力兼出力ギヤ70と噛合する入力ギヤ76と出力ギヤ77を設け、スライド体74の周端面に第１出力ギヤ71と噛合する第２入力ギヤ78を設けると共に、後側壁に上記出力ギヤ77と噛合する第１入力ギヤ79を設ける一方、前側壁に第３入力ギヤ80を設け、転動体75の周端面に第２出力ギヤ72と噛合する転動入力ギヤ81を設けると共に、後側壁に上記第３入力ギヤ80が嵌入して噛合する転動出力ギヤ82を設けている。
【００７２】
ここで、ミッションケース44内に配設した上記ギヤ群は、後述するデファレンシャルケース48内のギヤ群に比べて高速回転するものであり、かかるミッションケース44内には高速回転ギヤを内蔵しているといえる。
【００７３】
また、前記したようにミッションケース44には、ギヤケースとしてのデファレンシャルケース48とリヤアクスルケース52を連通連設しており、同デファレンシャルケース48内に、支持体83,83を介してデファレンシャル機構84を配置すると共に、各支持体83,83は、デファレンシャルケース48に着脱自在に取り付けている。
【００７４】
すなわち、デファレンシャル機構84は、図１３及び図１４に示すように、デファレンシャルケース48の内周面前部に一体成形した軸支持体85の後面に、左右一対の支持体83,83を介して取付ボルト86,86により着脱自在に取り付けている。
【００７５】
そして、デファレンシャル機構84は、図２０にも示すように、左側の支持体83にベアリング87を介して大減速ギヤ88の中央部を取り付ける一方、右側の支持体83にベアリング87を介してギヤ支持体89の右側中央部を取り付けると共に、同ギヤ支持体89の左側端部を大減速ギヤ88の内側面に一体的に連結し、同ギヤ支持体89に左右方向と直交する方向に軸線を向けた小差動ギヤ支軸90を介して一対の小差動ギヤ91,91を取り付け、両小差動ギヤ91,91に左右一対の大差動ギヤ92,92を噛合させると共に、各大差動ギヤ92,92を左右方向に軸線を向け左右一対の駆動軸93,93を介して大減速ギヤ88の中央部とギヤ支持体89の右側中央部に支持させて構成している。
【００７６】
また、大減速ギヤ88は、前記した前後車輪駆動軸59の後端部に設けた後車輪駆動ギヤ94に噛合させている。
【００７７】
左右一対の駆動軸93,93は、それぞれデファレンシャルケース48の周壁中途部に形成した左右一対の軸受け口部95,95にベアリング96,96を介して中途部が支持され、各軸受け口部95,95より外側方へ延設して形成した筒状のブレーキ装置取付部97,97にブレーキ装置98,98を介して先端部が支持されている。
【００７８】
ここで、ブレーキ装置98,98は、ブレーキ装置取付部97,97に外側方から取付ボルト99,99により着脱自在に取り付けている。
【００７９】
リヤアクスルケース52は、図１１〜図１４に示すように、デファレンシャルケース48の後端にケース本体100を連通連結し、同ケース本体100の左右側部に左右方向に伸延する軸ケース体101,101の内側端部をそれぞれ連通連結して形成しており、各軸ケース体101,101中に後車軸102,102を挿通し、各後車軸102,102の内側端部に大径入力ギヤ103,103を取り付けると共に、各大径入力ギヤ103,103を前記駆動軸93,93の中途部に取り付けた小径出力ギヤ104,104に噛合させる一方、各後車軸102,102の外側端部に後車輪11,11を取り付けている。
【００８０】
ここで、デファレンシャルケース48内に配設した上記ギヤ群は、前記したデファレンシャルケース48内のギヤ群に比べて低速回転するものであり、かかるデファレンシャルケース48内には低速回転ギヤを内蔵しているといえる。
【００８１】
また、前記したようにミッションケース44には、ギヤケースとしてのデファレンシャルケース48とリヤアクスルケース52を連通連設しており、これらのケース44,48,52内に潤滑油を供給すると共に、同潤滑油を、図１５に示すように、ステアリングホイール19と前車輪9,9との間に介設したパワーステアリング機構105の油圧作動手段106に作動油として供給するようにしている。
【００８２】
すなわち、ケース本体100の後壁には、作動油（潤滑油）を濾過するためのフィルタ107を取り付け、同フィルタ107と油圧作動手段106の吸入口（図示せず）とを送り出し油路108を介して連通連結すると共に、同油圧作動手段106の戻し口（図示せず）とミッションケース44とを戻し油路109を介して連通連結し、上記送り出し油路108の中途部には油圧ポンプ110を介設している。
【００８３】
このようにして、ミッションケース44とデファレンシャルケース48とリヤアクスルケース52内に供給した潤滑油を、作動油としてリヤアクスルケース52→フィルタ107→送り出し油路108の上流側→油圧ポンプ110→送り出し油路108の下流側→油圧作動手段106→戻し油路109→ミッションケース44→デファレンシャルケース48→リヤアクスルケース52に戻すようにしている。
【００８４】
この際、高速回転ギヤを内蔵するミッションケース44内の潤滑油を、油圧作動手段106に作動油として直接送り出すのではなく、低速回転ギヤを内蔵するデファレンシャルケース48とリヤアクスルケース52を通して油圧作動手段106に作動油として送り出すようにしているため、ミッションケース44内の潤滑油をデファレンシャルケース48内とリヤアクスルケース52内にて低温化した後に油圧作動手段106に作動油として送り出すことができて、同作動油の適正機能を確保することができて、油圧作動手段106を精度良く機能させることができる。
【００８５】
しかも、冷却ファンの冷却風路に関わりなく構成部材を配置することができるため、同構成部材の配設位置が制約を受けるという不具合が生じない。
【００８６】
また、デファレンシャルケース48とリヤアクスルケース52は、図１３に示すように、ミッションケース44内に供給された潤滑油の油面111よりも低位置に配置している。
【００８７】
このようにして、デファレンシャルケース48内とリヤアクスルケース52内を潤滑油により満たすことができて、同リヤアクスルケース52から油圧作動手段106に送り出される作動油内に空気が混入するのを防止することができる。
【００８８】
従って、この点からも、作動油の適正機能を確保することができて、油圧作動手段を精度良く機能させることができる。
【００８９】
また、デファレンシャルケース48にリヤアクスルケース52を連通連設して、同リヤアクスルケース52と油圧作動手段106との間に送り出し油路を介設すると共に、同送り出し油路にフィルタを設けている。
【００９０】
このようにして、ギヤケースに連通連設したアクスルケースから送り出し油路を通して油圧作動手段に作動油を送り出すようにすると共に、同送り出し油路108にフィルタ107を設けているため、油圧作動手段106に送り出される作動油の低温化を良好に確保することができると共に、かかる作動油中の不純物はフィルタ107を通して濾過して、不純物の含まれない作動油を油圧作動手段106に送り出すことができる。
【００９１】
従って、この点からも、作動油の適正機能をより一層確保することができて、油圧作動手段106を精度良く機能させることができる。
【００９２】
〔伝動機構部６の説明〕
次に、伝動機構部６について説明すると、同伝動機構部６は、図１９に示すように、伝動機構ケース114内に、エンジン27の駆動軸39に取り付けたフライホイール130と、同フライホイール130に連動連結した第１伝動機構131と、フライホイール130にクラッチ機構132を介して連動連結した第２伝動機構133とを設けている。
【００９３】
そして、伝動機構ケース114は、前半側ケース形成体134と後半側ケース形成体135とを前後方向から取付ボルト136により着脱自在に連結して形成している。
【００９４】
また、第１伝動機構131は、図２０にも示すように、駆動軸39と同一軸線上に配置したフライホイール130の中心部に、前後方向に軸線を向けた伝動内側軸137の前端部を連動連結すると共に、前半側ケース形成体134内に形成した仕切壁138に伝動内側軸137の中途部を支持させ、かつ、後半側ケース形成体135に伝動内側軸137の後端部を支持させている。
【００９５】
そして、第１伝動機構131は、仕切壁138と後半側ケース形成体135との間に、前後方向に軸線を向けた中間軸139を架設し、前半側ケース形成体134と後半側ケース形成体135の下部間に前後方向に軸線を向けた薬液ポンプ駆動用動力取出軸140とミッション部伝動軸141とを上下方向に平行させて架設すると共に、前半側ケース形成体134より各先端部142,143を前方へ突出させている。
【００９６】
また、図１９及び図２０において、144は、伝動内側軸137の後端部に取り付けた出力ギヤ、145は、中間軸139の後端部に取り付けて、上記出力ギヤ144に噛合させた入力ギヤ、146は、中間軸139の前端部に取り付けた出力ギヤ、147は、仕切壁138と後半側ケース形成体135との間にギヤ支軸148を介して取り付けて、上記出力ギヤ146に噛合させた中間ギヤ、149は、薬液ポンプ駆動用動力取出軸140に取り付けて、上記中間ギヤ147に噛合させた入力ギヤ、150は、同薬液ポンプ駆動用動力取出軸140に取り付けた出力ギヤ、151は、ミッション部伝動軸141に取り付けて、上記出力ギヤ150に噛合させた入力ギヤである。
【００９７】
このようにして、第１伝動機構131では、エンジン27の駆動軸39により駆動されるフライホイール130から動力を伝動内側軸137→出力ギヤ144→入力ギヤ145→中間軸139→出力ギヤ146→中間ギヤ147→入力ギヤ149→薬液ポンプ駆動用動力取出軸140→出力ギヤ150→入力ギヤ151→ミッション部伝動軸141に伝達するようにしている。
【００９８】
そして、図６、図９及び図２０にも示すように、薬液ポンプ駆動用動力取出軸140の先端部142と、薬液ポンプ31の入力軸152の先端部との間にポンプ伝動機構38を介設しており、同ポンプ伝動機構38は、薬液ポンプ駆動用動力取出軸140の先端部142と薬液ポンプ31の入力軸152の先端部との間に、プーリ153,154を介して伝動ベルト155を巻回して構成している。
【００９９】
また、図７、図８及び図２０に示すように、ミッション部伝動軸141の先端部143は、伝動ジョイント156を介して後述するクラッチ部37の入力軸54に連動連結している。
【０１００】
第２伝動機構133は、前記伝動内側軸137の外周面に筒状の伝動外側軸160を回動自在に嵌合させ、同伝動外側軸160とフライホイール130との間にクラッチ機構132を介設し、同クラッチ機構132に、図１６及び図１８にも示すように、クラッチ作動操作機構161を連動連結して、同クラッチ作動操作機構161によりクラッチ機構132を接続・切断作動させて、フライホイール130から伝動外側軸160への動力伝達を接続・切断操作可能としている。
【０１０１】
そして、第２伝動機構133では、仕切壁138と後半側ケース形成体135との間に薬液散布用ファン駆動軸162を架設すると共に、同薬液散布用ファン駆動軸162の先端部163を後半側ケース形成体135より後方へ突出させて、図２にも示すように、同先端部163に伝動シャフト164を介して薬液散布用ファン支軸165を同一軸線上にて連動連結している。
【０１０２】
また、伝動外側軸160と薬液散布用ファン駆動軸162との間には二段変速機構166を介設しており、同二段変速機構166は、伝動外側軸160に高速側出力ギヤ167と低速側出力ギヤ168を取り付ける一方、薬液散布用ファン駆動軸162に、転動ギヤ169を転動自在に取り付けると共に、同転同ギヤ169を上記高速側出力ギヤ167に噛合させ、かつ、転動ギヤ169の後面に内歯ギヤ170を一体的に形成し、また、薬液散布用ファン駆動軸162にスライド体171をスライド自在にスプライン嵌合して、同スライド体171に内歯ギヤ170に貫入して噛合する小径ギヤ172と、上記低速側出力ギヤ168と噛合する大径ギヤ173とを設けて構成している。
【０１０３】
しかも、薬液散布用ファン駆動軸162の上方に位置する仕切壁138と後半側ケース形成体135との間に、シフトフォーク支軸174をその軸線方向に摺動自在に架設して、同シフトフォーク支軸174の中途部より垂下したシフトフォーク175の先端部を前記スライド体171に係合させる一方、シフトフォーク支軸174の後端部176を後半側ケース形成体135より後方へ突出させて、同後端部176にシフト操作アーム177を取り付けている。178はディテント機構である。
【０１０４】
このようにして、第２伝動機構133では、エンジン27の駆動軸39により駆動されるフライホイール130から動力をクラッチ機構132→伝動外側軸160→二段変速機構166→薬液散布用ファン駆動軸162→伝動シャフト164→薬液散布用ファン支軸165に伝達するようにしている。
【０１０５】
この際、シフト操作アーム177を操作して、シフトフォーク175を介してスライド体171をスライドさせることにより、高・低速二段階の変速操作を行うことができる。
【０１０６】
また、図２０において、180は、薬液タンク部３のタンク本体22内に配設した撹拌翼であり、同攪拌翼180を支持する撹拌翼支軸181の後端部182と、前記した薬液撹拌駆動用動力取出軸56の前端部183との間に連動機構184を介設している。185は、フロントアクスル部８に設けた入力軸であり、同入力軸185の後端部186は前記ドライブシャフト12を介して前後車輪駆動軸59の前端部188に連動連結している。189は、フロントアクスル部８内に設けた前車輪用のデファレンシャル機構である。
【０１０７】
〔薬液散布部７の説明〕
次に、薬液散布部７について説明すると、同薬液散布部７は、図１及び図２に示すように、前後方向に軸線を向けた薬液散布用ファン支軸165に薬液散布用ファン（図示せず）を取り付け、同薬液散布用ファンの前方位置に導風体122を対向状態に配置し、同導風体122の外周部に多数の薬液散布用ノズル190を円周方向に間隔を開けて配置している。
【０１０８】
このようにして、薬液散布用ファンを回転させて、同薬液散布用ファンより生起される送風を導風体122を介して外周方向に案内すると共に、各薬液散布用ノズル190に薬液タンク部３のタンク本体22内に貯留している薬液を薬液ポンプ31により圧送して、各薬液散布用ノズル190より散布される薬液を送風により広く外周に散布することができるようにしている。
【０１０９】
本実施の形態は、上記のように構成しているものであり、本実施の形態に係るスピードスプレーヤＡでは、以下のような効果が得られる。
【０１１０】
（１）エンジン27の直下方位置にミッション部５の左側下部を配置すると共に、同エンジン27の側方空間Ｓ内にミッション部５の右側上部を配置しているため、機体フレーム１上におけるエンジン27とミッション部５の前後幅を可及的に短幅化することができて、同機体フレーム１上においてミッション部５の前方に配置する薬液タンク部３の容積が、同ミッション部５により規制されることがないようにすることができる。
【０１１１】
その結果、薬液タンク部３の容積を可及的に大きく確保することができて、薬液散布作業を長時間にわたって効率良く行うことができる。
【０１１２】
しかも、ミッション部５は、最低地上高を確保した上で、機体フレーム１上への突出量を可及的に小さくすることができるため、機体フレーム１上の薬液タンク部３の容積に悪影響を与えないようにすることができると共に、機体の上端までの地上高（車高）を可及的に低く設定することができて、果樹園での防除作業に好適な農作業機となすことができる。
【０１１３】
さらには、前後方向に伸延する左右一対の機体フレーム形成片25,25上に搭載したエンジン27を左側方に偏倚させて配置し、同エンジン27の直下方位置に上下方向に伸延するミッション部５の左側下部を配置すると共に、同エンジン27の偏倚させた側とは反対側の側方空間Ｓ内にミッション部５の右側上部を配置しているため、同ミッション部５の左右側方に配置される左右一対の機体フレーム形成片25,25の間隔を可及的に小さくすることができて、機体のコンパクト化を図ることができる。
【０１１４】
（２）エンジン27の側方空間Ｓ内に配置したクラッチ部37の一部を、エンジン27と上下方向に重合状態となしているため、同クラッチ部37を機体の左右中心線寄りに配置することができて、機体の左右幅をコンパクト化することができる。
【０１１５】
その結果、狭隘地での走行移動や農作業もスムーズに行えると共に、格納庫のスペースを削減することができる。
【０１１６】
（３）エンジン27の側方空間をクラッチ部37と各種伝動機構としてのポンプ伝動機構38の配設空間として有効利用しているため、この点からも機体の左右幅をコンパクト化することができる。
【０１１７】
（４）左右一対の機体フレーム形成片25,25間に、左側半部と右側半部との間に高低段差を形成したエンジンマウントステー26を横架して、同エンジンマウントステー26の低部側にエンジン27を搭載する一方、後部側にミッション部５の上部に連動連設したクラッチ部37を配置しているため、エンジン27とミッション部５とクラッチ部37とをコンパクトに配置することができる。
【０１１８】
（５）ミッションケース44の後部ケース形成体46にクラッチケース本体47とデファレンシャルケース48を一体成形しているため、ミッション部５とクラッチ部37とデファレンシャル部42をコンパクトに配設することができると共に、これらの組み付け作業を楽に行うことができる。
【０１１９】
（６）クラッチケース本体47とデファレンシャルケース48を平行状態にて左右方向に間隔を開けて配置しているため、両者の間に放熱用空間S1を形成することができる。
【０１２０】
従って、クラッチ部37で発生する熱を放熱用空間S1を通して放熱させることができるため、クラッチ部37の摩擦係数が上昇するのを防止することができると共に、多板クラッチ55の耐久性を良好に確保することができる。
【０１２１】
また、デファレンシャル部42で発生する熱も放熱用空間S1を通して放熱させることができるため、同デファレンシャル部42のシール性能を良好に確保することができると共に、オイルシール部の劣化やオイルの劣化を防止することができる。
【０１２２】
（７）ミッションケース44の後部ケース形成体46に一体成形したクラッチケース本体47とデファレンシャルケース48の各後端面47a,48aを、略面一となしているため、両後端面47a,48aを一度にフライス加工することができて、精度良くかつ効率良く加工することができる。
【０１２３】
しかも、クラッチケース本体47の後端面47aには蓋体50を連結することにより、簡単にクラッチケース本体47を閉蓋することができる一方、デファレンシャルケース48の後端面48aにはリヤアクスル部10のリヤアクスルケース52を連結することにより、簡単にデファレンシャルケース48を閉蓋することができると共に、デファレンシャル部42にリヤアクスル部10を連設することができる。
【０１２４】
従って、クラッチ部37とデファレンシャル部42とリヤアクスル部10の組み付け作業を楽に行うことができる。
【０１２５】
（８）ミッション部５とデファレンシャル部42とリヤアクスル部10とを前後方向に順次連動連設するようにしているため、これらの組み付け作業を後方から楽に行うことができる。
【０１２６】
（９）下端部の地上高H1,H2を略同一となしたデファレンシャル部42とリヤアクスル部10を、ミッション部５の下端部の地上高H3と略同一位置に配置しているため、ミッション部５の下端部が最低地上高を満足するようにミッション部５を配置すれば、デファレンシャル部42とリヤアクスル部10の地上高も最低地上高に確保することができると共に、機体の重心位置を低位置に設定することができる。その結果、機体の安定性を良好となすことができる。
【０１２７】
（１０）デファレンシャルケース48に着脱自在に取り付けた支持体83,83を介してデファレンシャル機構84をデファレンシャルケース48内に配置することができるため、同デファレンシャル機構84の組み付け作業を支持体を介して楽に行うことができる。
【０１２８】
（１１）デファレンシャルケース48の左右側部にはブレーキ装置98,98を楽に取り付けることができると共に、必要に応じて各ブレーキ装置98,98を取り外すことにより、各ブレーキ装置98,98のメンテナンス作業を楽に行うことができる。
【０１２９】
（１２）デファレンシャルケース48にリヤアクスルケース52を着脱自在に取り付けているため、同リヤアクスル部10の組み付け作業及びメンテナンスを楽に行うことができる。
【０１３０】
（１３）ミッションケース44内に配設した薬液撹拌駆動用動力取出軸56と第１変速軸57と第２変速軸58と前後車輪駆動軸59を、それぞれ軸線がいずれも前後方向に向くように架設しているため、変速操作具の操作方向を前後方向となすことができて、別途に変速操作用のアームを設ける必要性がなくなる。その結果、部品点数の削減と構造の簡易化を図ることができると共に、製造コストの低減を図ることができる。
【図面の簡単な説明】
【０１３１】
【図１】本発明に係る移動農機としてのスピードスプレーヤの側面図。
【図２】同スピードスプレーヤの平面図。
【図３】同スピードスプレーヤの正面図。
【図４】同スピードスプレーヤの背面説明図。
【図５】原動機部の支持構造の平面図。
【図６】同原動機部の背面図。
【図７】エンジン等の側面図。
【図８】同エンジン等の平面図。
【図９】同エンジン等の背面図。
【図１０】ミッション部等の側面図。
【図１１】同ミッション部等の平面図。
【図１２】同ミッション部等の背面図。
【図１３】同ミッション部等の断面側面説明図。
【図１４】デファレンシャル部とリヤアクスル部の断面平面図。
【図１５】作動油配管説明図。
【図１６】伝動機構部の側面図。
【図１７】同伝動機構部の平面図。
【図１８】同伝動機構部の背面図。
【図１９】同伝動機構部の断面側面図。
【図２０】動力伝達説明図。
【図２１】ラジエータ支持枠体の平面図。
【図２２】同ラジータ支持枠体の背面図。
【符号の説明】
【０１３２】
Ａ  スピードスプレーヤ
１  機体フレーム
２  運転部
３  薬液タンク部
４  原動機部
５  ミッション部
６  伝動機構部
７  薬液散布部
【図１】
2005112074.tif 000003
【図２】
2005112074.tif 000004
【図３】
2005112074.tif 000005
【図４】
2005112074.tif 000006
【図５】
2005112074.tif 000007
【図６】
2005112074.tif 000008
【図７】
2005112074.tif 000009
【図８】
2005112074.tif 000010
【図９】
2005112074.tif 000011
【図１０】
2005112074.tif 000012
【図１１】
2005112074.tif 000013
【図１２】
2005112074.tif 000014
【図１３】
2005112074.tif 000015
【図１４】
2005112074.tif 000016
【図１５】
2005112074.tif 000017
【図１６】
2005112074.tif 000018
【図１７】
2005112074.tif 000019
【図１８】
2005112074.tif 000020
【図１９】
2005112074.tif 000021
【図２０】
2005112074.tif 000022
【図２１】
2005112074.tif 000023
【図２２】
2005112074.tif 000024